(57)【要約】      （修正有）【課題】簡単な構造で携帯時の液漏れを無くし、流出量の微調整と洗浄性の向上を可能とする飲料用容器の蓋を提供する。【解決手段】飲料用容器の蓋１０を、外蓋３２と内蓋３４とから構成する。外蓋３２は、筒状の外蓋本体４２に取付部３６、雌ねじ部３８、外縁部４０を形成する。内蓋３４は、内蓋本体に、雄ねじ部６０、流出口６８、パッキン保持部６６、底板部７０、摘み部７２を形成する。雄ねじ部６０とパッキン保持部６６との間に流出口６８を周方向に並べて形成する。底板部７０と内蓋本体との内周面とに、内蓋本体の直径方向に長い突条を架け渡し、摘み部７２とする。パッキン８０がパッキン保持部６６に取り付けられ、内蓋本体と外蓋本体との隙間を塞ぐ。【選択図】図８
0003159974.tif 000002
【実用新案登録請求の範囲】
【請求項１】
飲用液体を収納する飲料用容器の開口に取り付けられる蓋であって、
筒状の外蓋本体、この外蓋本体に形成されており、前記飲料用容器の開口に取り付けられる取付部、前記外蓋本体の内周面の下部に形成されている雌ねじ部、及び前記外蓋本体の上部に上方に向かって延設される外縁部を有する外蓋と、
筒状の内蓋本体、この内蓋本体の外周面の下部に形成されており、前記外蓋本体の雌ねじ部に螺合する雄ねじ部、前記内蓋本体の外周面の上部に周方向に形成されているパッキン保持部、前記内蓋本体の外周面であって前記雄ねじ部と前記パッキン保持部との間で内蓋本体の内周面に貫通する流出口、前記内蓋本体を塞ぐように前記流出口の上方位置から延設されている底板部、及び前記底板部の上面から上方に向けてまたは前記内蓋本体の内周面から内側に向けて突出して形成される摘み部を有する内蓋と、
前記パッキン保持部に取り付けられ、前記内蓋本体の雄ねじ部が前記外蓋本体の雌ねじ部に螺合して閉じ状態になったときに、内蓋本体と前記外蓋本体との隙間を塞ぐパッキンと
を備えることを特徴とする飲料用容器の蓋。
【請求項２】
前記流出口は、前記パッキン保持部に隣接または近接して設けられていることを特徴とする請求項１記載の飲料用容器の蓋。
【請求項３】
前記底板部は、前記内蓋本体の下部内周面であって前記流出口の上方位置から下方に向かって延設されて前記内蓋本体の下部に位置していることを特徴とする請求項１または２記載の飲料用容器の蓋。
【請求項４】
前記外蓋本体の内周面の上部に形成され、前記雌ねじ部に連続し次第に拡開するテーパー状内周面を前記外縁部は有することを特徴とする請求項１から３いずれか1項記載の飲料用容器の蓋。
【請求項５】
前記テーパー状内周面は、外蓋本体の中心線を通る外縁部の縦断面において内側に湾曲するような凹んだ形状に形成されていることを特徴とする請求項４記載の飲料用容器の蓋。
【請求項６】
前記外縁部は上方に一部が延設された飲み口部を有し、
前記摘み部は前記内蓋本体の直径方向に延設されて内周面間で架け渡されている突条から構成されており、前記突条の直径方向の中央部が低くされており、
前記内蓋本体が前記外蓋本体に取り付けられた状態で締められて、前記パッキンにより水密に結合しているときに、前記飲み口部を通り前記外蓋本体の中心線と直交する直線に対し、前記摘み部が平行になるように、前記摘み部は前記内蓋本体に形成されていることを特徴とする請求項１から５いずれか１項記載の飲料用容器の蓋。
【請求項７】
前記飲み口部を通り前記外蓋本体の中心線に直交する直線に対し前記摘み部が上から見て直交する位置で、摘み部の直径方向の一端部と、この一端部が前記外縁部に位置する箇所とに開マークを有することを特徴とする請求項６記載の飲料用容器の蓋。
【請求項８】
前記流出口は、前記内蓋本体に周方向に一定ピッチで形成された貫通孔であることを特徴とする請求項１から７いずれか１項記載の飲料用容器の蓋。
【請求項９】
前記貫通孔は周方向に長い矩形状であり、前記摘み部を除いた周面に周方向に並べて設けられていることを特徴とする請求項８記載の飲料用容器の蓋。
【請求項１０】
前記パッキン保持部は、前記テーパー状内周面に平行なテーパー状外周面及びこのテーパー状外周面に周方向に形成されるパッキン保持溝を有することを特徴とする請求項１から９いずれか１項記載の飲料用容器の蓋。
【請求項１１】
前記外蓋本体の中心線に対し前記飲み口部から１８０°回転した位置に携帯用ストラップが通る貫通孔を有することを特徴とする請求項６から１０いずれか１項記載の飲料用容器の蓋。
【請求項１２】
前記外蓋本体の取付部は、外蓋本体の外周面であって外蓋本体中心線方向の中央部に形成される段部、この段部を介して下方に連続し前記外周面と平行な外周面に形成される雄ねじ部、及び前記段部と前記雄ねじ部との角部に形成されているパッキン収納部を有し、前記段部の直径方向の長さは前記飲料用容器の開口厚みと同じであることを特徴とする請求項１から１１いずれか１項記載の飲料用容器の蓋。
【請求項１３】
前記飲料用容器はタンブラーであることを特徴とする請求項１から１２いずれか１項記載の飲料用容器の蓋。
【考案の詳細な説明】
【技術分野】
【０００１】
本考案は、飲料用容器の蓋に関し、特にタンブラーに取り付けて好適な蓋に関するものである。
【背景技術】
【０００２】
タンブラーやカップ等の容器本体に蓋をつけて、携帯を容易にした飲料用容器が各種提供されている。この飲料用容器には、コーヒー、紅茶、ジュース、水などの各種飲用液体が収容される。そして、保温や保冷機能を有するように二重構造になったものが多い。また、持ち運ぶ際にこぼれることがないように、蓋が取り付けられている。
【０００３】
最近では蓋をいちいち取り外すことなく、飲用可能なように、蓋に開口を開けたものが提供されている。また、開口を閉じたり開けたりすることができる栓を設けたものも各種提供されている。
【０００４】
しかしながら、栓を蓋に単に着脱自在に設けたものでは、飲む際に栓を取り外して飲む必要があり、栓を開けたり、外した栓を置いたりする手間があり、使い勝手がよくない。そこで、蓋に開閉自在な栓を取り付けて、例えばスライドさせたり、揺動させたりして、栓を開放位置や閉じ位置にセットするものがある。例えば、特許文献１では、くの字状のレバーの先端に蓋を設けて、レバーを揺動することで、蓋を開け閉めしている。また、特許文献２では、レバーを用いずに、揺動蓋を取り付けて、蓋の揺動により開閉している。
【０００５】
さらに、栓を揺動するタイプに代えて、スライド自在に蓋に取り付けて、開け閉めすることも行われている。
【先行技術文献】
【特許文献】
【０００６】
【特許文献１】特開２００７−１９７０９１号公報
【特許文献２】実用新案登録第３１５０１６２公報
【考案の概要】
【考案が解決しようとする課題】
【０００７】
上記のようにレバーの先端に栓を設けて、揺動することで開閉を行うタイプでは、レバーが容器の外側に飛び出ており、倒したり、誤って握ったりした場合にレバーが揺動して栓が開いてしまうという問題がある。また、飲用液体の流出量を調節するためには、レバーの開度を調節しながらレバーを開く操作が必要になり、流出量の微調整が困難であるという問題がある。
【０００８】
また、レバーを用いない揺動方式やスライド方式の場合には、栓を揺動またはスライドすることで開閉することができるが、同様にしてスライド部材や揺動部材を適宜位置で停止させる手段を用いないと、流出量の微調整ができないという問題がある。
【０００９】
しかも、これら揺動方式やスライド方式の栓を用いる場合には、蓋と一体化されており、使用後の洗浄において、揺動部やスライド部をうまく洗浄することができないという問題がある。また、揺動方式及びスライド方式においては、開口を確実に塞ぐことが構造的に難しいため、倒れたときや傾斜したときに開口と栓との隙間から飲用液体が漏れることもあり、携帯に不便であるという問題がある。
【課題を解決するための手段】
【００１０】
本考案は、上記問題点を解消するためになされたものであり、飲用液体を収納する飲料用容器の開口に取り付けられる蓋であって、筒状の外蓋本体、この外蓋本体に形成されており、前記飲料用容器の開口に取り付けられる取付部、前記外蓋本体の内周面の下部に形成されている雌ねじ部、及び前記外蓋本体の上部に上方に向かって延設される外縁部を有する外蓋と、筒状の内蓋本体、この内蓋本体の外周面の下部に形成されており、前記外蓋本体の雌ねじ部に螺合する雄ねじ部、前記内蓋本体の外周面の上部に周方向に形成されているパッキン保持部、前記内蓋本体の外周面であって前記雄ねじ部と前記パッキン保持部との間で内蓋本体の内周面に貫通する流出口、前記内蓋本体を塞ぐように前記流出口の上方位置から延設されている底板部、及び前記底板部の上面から上方に向けてまたは前記内蓋本体の内周面から内側に向けて突出して形成される摘み部を有する内蓋と、前記パッキン保持部に取り付けられ、前記内蓋本体の雄ねじ部が前記外蓋本体の雌ねじ部に螺合して閉じ状態になったときに、内蓋本体と前記外蓋本体との隙間を塞ぐパッキンとを備えることを特徴とする。
【００１１】
前記流出口は、前記パッキン保持部に隣接または近接して設けられることにより、内蓋を少しだけ開方向に回すことで、流出口から液体を容易に流出させることができる。また、この状態から内蓋を逆に少し回すと、パッキンにより外蓋と内蓋とを水密に結合することができる。
【００１２】
前記底板部は、前記内蓋本体の下部内周面であって前記流出口の上方位置から下方に向かって延設されて前記内蓋本体の下部に位置している。これにより、底板部を内蓋本体内で低く設定することができ、蓋の高さを低く抑えて全体をコンパクトにまとめることができる。
【００１３】
前記外蓋本体の内周面の上部に形成され、前記雌ねじ部に連続し次第に拡開するテーパー状内周面を前記外縁部は有している。これにより、外縁部の上端部を上方に向かうに従い次第に厚みを薄く形成することができ、飲用の際に口当たりがよくなる。さらに、このテーパー状内周面は、外蓋本体の中心線を通る外縁部の縦断面において内側に湾曲するような凹んだ形状とすることにより、飲用に際してこの凹み部で液体が一時的に滞留するため、飲用の際に液体が口へと流れるときに時間的にずれが生じて、急激且つ一時に口内に液体が流出することを防止することができる。
【００１４】
前記外縁部は上方に一部が延設された飲み口部を有し、前記摘み部は前記内蓋本体の直径方向に延設されて内周面間で架け渡されている突条から構成されており、前記突条の直径方向の中央部が低くされており、前記内蓋本体が前記外蓋本体に取り付けられた状態で締められて、前記パッキンにより水密に結合しているときに、前記飲み口部を通り前記外蓋本体の中心線と直交する直線に対し、前記摘み部が平行になるように、前記摘み部は前記内蓋本体に形成されている。これにより、蓋が閉まった飲用不可状態で飲み口部に口を当てると、上唇が摘み部にふれるため、蓋が閉まっていることが容易に判るようになる。
【００１５】
前記飲み口部を通り外蓋本体の中心線に直交する直線に対し前記摘み部が上から見て直交する位置で、摘み部の直径方向の一端部と、この一端部が前記外縁部に位置する箇所とに開マークを有している。このように開マーク同士を近接させると内蓋が開状態であることが一見して判るようになる。したがって、内蓋が開位置の状態で誤って持ち運んでしまうことが回避される。また、開マーク位置では、摘み部が飲み口部から９０°離れた位置となるため、摘み部に上唇が当たることがなく、容易に飲めるようになる。
【００１６】
前記流出口は、前記内蓋本体に周方向に一定ピッチで形成された貫通孔であることが好ましい。このように、周方向に一定ピッチで貫通孔が形成されることにより、一定の流出量を確保した上で、内蓋の高さを抑えることができる。特に前記貫通孔を周方向に長い矩形状とすることにより、一定の流出量を確保した上で、さらに内蓋の高さを抑えることができる。また、前記摘み部を除いた周面に周方向に並べて貫通孔を形成することにより、摘み部の強度を確保した上で、一定の流出量を確保することができる。
【００１７】
前記パッキン保持部は、前記テーパー状内周面に平行なテーパー状外周面及びこのテーパー状外周面に周方向に形成されるパッキン保持溝を有することが好ましい。
【００１８】
前記外蓋本体の中心線に対し前記飲み口部から１８０°回転した位置に携帯用ストラップが通る貫通孔を有することが好ましく、携帯性が向上する。
【００１９】
前記外蓋本体の取付部は、外蓋本体の外周面であって外蓋本体中心線方向の中央部に形成される段部、この段部を介して下方に連続し前記外周面と平行な外周面に形成される雄ねじ部、及び前記段部と前記雄ねじ部との角部に形成されているパッキン収納部を有し、前記段部の直径方向の長さは前記飲料用容器の開口厚みと同じであることが好ましく、この場合には蓋と容器本体とが接続される外周面部分が面一で連続することになり、容器の一体感が出て、デザイン性に優れる。
【００２０】
前記飲料用容器はタンブラーであることが好ましい。このようにタンブラーの蓋として本考案を実施することにより、簡単な構成で液体漏れのない蓋を提供することができる。したがって、飲み口を有する蓋付きタンブラーを安価にて提供することができる。
【考案の効果】
【００２１】
本考案の飲料用容器の蓋は、簡単な構成で飲用液体の漏れを確実に無くし、飲用に際しては流出量の微調整が可能であり、また洗浄の際には各部を分離して洗浄することができる。
【図面の簡単な説明】
【００２２】
【図１】蓋を取り付けた状態の飲料用容器を示す斜視図であり、内蓋が開位置となっている飲用可能な状態を示している。
【図２】同縦断面図であり、内蓋が閉位置で飲料液体が密封される状態を示している。
【図３】飲料用容器を分解して示す斜視図である。
【図４】外蓋を示す拡大した縦断面図である。
【図５】外蓋を示す拡大した側面図である。
【図６】内蓋を示す拡大した縦断面図である。
【図７】内蓋を示す拡大した側面図である。
【図８】内蓋が開位置となっており飲用可能な状態を示す拡大した縦断面図である。
【考案を実施するための形態】
【００２３】
図１及び図２に示すように、本考案の蓋１０は容器本体（タンブラー）１２の開口１２ａに取り付けられる。この蓋１０と容器本体１２により飲料用容器１４が構成される。
【００２４】
図２に示すように、容器本体１２は、カップ状の外装体１６と内装体１８とにより二重構造になっている。必要に応じてこれらの間の空洞２０には、図示していない印刷シートが入れられて容器本体１２の模様を形成している。これら外装体１６及び内装体１８は合成樹脂製成型品であり、本実施形態では透明な合成樹脂を用いて成型している。そして、外装体１６に内装体１８を入れて下部の雌ねじ部２２と雄ねじ部２４とを螺合し回転することで、外装体１６と内装体１８とが一体化される。このとき、外装体１６の上端面と内装体１８の折り返し部２６との間にパッキン２８が挿入されて気密性が保持される。必要に応じて、外装体１６の上端部外周面と内装体１８の折り返し部２６の内周面との接触部分は溶着または接着されている。また、容器本体１２の開口１２ａの内周面には、雌ねじ部３０が形成されている。なお、外装体１６及び内装体１８は透明としたが半透明、不透明であってもよい。また、外装体１６及び内装体１８の一方または両方は、合成樹脂製以外に、アルミニウムやステンレス等の金属製であってもよい。
【００２５】
図３に示すように、本考案の蓋１０は、外蓋３２と内蓋３４とから構成されている。これら外蓋３２及び内蓋３４は合成樹脂製の成型品である。
【００２６】
図４及び図５に示すように、外蓋３２は、取付部３６、雌ねじ部３８、外縁部４０を有する筒状の外蓋本体４２から構成されている。この外蓋本体４２の外周面の下部には、外側段部４４を介して雄ねじ部４６が、内周面の下部には内側段部４８を介して雌ねじ部３８がそれぞれ形成されている。外側段部４４と雄ねじ部４６とがつながる角部には、パッキンとしてのオーリング５２が嵌められている。
【００２７】
外蓋本体直径方向における外側段部４４の長さは、図２に示すように、容器本体１２の上端部の厚みと同じにされている。これにより、容器本体１２の開口１２ａに外蓋３２が取り付けられたときに、容器本体１２の外周面１２ｂと、外蓋３２の外周面３２ａとが面一になる。なお、容器本体１２への外蓋３２の取り付けは、上記の形態に限定されるものではなく、容器本体１２が雄ねじ部を有し、外蓋３２が雌ねじ部を有する取り付け構造であってもよいし、このようなねじによる取り付け構造の他に、接着や溶着などの固定手段や、爪結合のよう係止手段で取り付けてもよい。
【００２８】
図４に示すように、前記外側段部４４の上方には、外縁部４０が上方に向けて延設されている。外縁部４０は、外蓋本体４２の中心線ＣＬに対して１８０°離れた点対称位置で、一方に飲み口部５４が、他方にストラップ取付部５６が形成されている。飲み口部５４は、飲料液体が飲みやすくなるように、ストラップ取付部５６に比べて高く形成されている。また、このように飲み口部５４に対し反対側の縁部であるストラップ取付部５６を低く設定することにより、飲用に際し、鼻が当たることがなく、使い勝手がよくなる。ストラップ取付部５６にはストラップ取付孔５８が形成されている。このストラップ取付孔５８には、ストラップ（図示せず）が通されて携帯に便利なようになっている。
【００２９】
外縁部４０の内周面４０ａは、上方に向けて次第に拡開するテーパー状に形成されている。特に飲み口部５４は上端に向かうに従い次第に厚みが薄くなるように形成されており、飲用の際に口当たりがよくなるようになっている。また、テーパー状内周面４０ａは、外蓋本体４２の中心線ＣＬを通る外縁部４０の縦断面において内側に湾曲するような凹んだ形状とすることにより、飲用に際してこの凹み部で液体が一時的に滞留するため、液体が口へと流れるときに時間的にずれが生じて、急激且つ一時に口内に液体が流出することを防止することができる。
【００３０】
雌ねじ部３８は、内蓋３４の雄ねじ部６０（図７参照）が螺合するためのものである。この雌ねじ部３８と外縁部内周面４０ａとの間にはテーパー状のパッキン当て面６２が形成されている。
【００３１】
図６及び図７に示すように、内蓋３４は、雄ねじ部６０、パッキン保持部６６、流出口６８、底板部７０、及び摘み部７２を有する有底筒状の内蓋本体７４から構成されている。底板部７０は、内蓋本体７４の下端近くに形成されており、上方から見て、飲用に際して鼻が当たらないように内蓋３４の上面７０ｂが凹んでいる。
【００３２】
内蓋本体７４の外周面で下部には、雄ねじ部６０が形成されている。図２及び図３に示すように、この雄ねじ部６０は、外蓋３２の雌ねじ部３８に螺合する。内蓋３４を時計方向に回転させることにより、内蓋３４は外蓋３２に締め込まれる。
【００３３】
図６に示すように、内蓋本体７４の外周面で上部には、パッキン保持部６６が形成されている。パッキン保持部６６は、テーパー面７６及びパッキン保持溝７８から構成されている。テーパー面７６は、雄ねじ部６０が形成されている外周面７４ａから上方に向こうに従い次第に拡開するように形成されている。また、テーパー面７６の上部にはパッキン保持溝７８が周方向に形成されている。このパッキン保持溝７８には、パッキンとしてのオーリング８０が嵌められる。
【００３４】
パッキン保持溝７８は、内蓋３４を外蓋３２に螺合して締め込んだときにオーリング８０が脱落することがないように、上部が外側に突出したオーバーハング部８２を有する。このオーバーハング部８２でオーリング８０がしっかりと保持される。したがって、図２に示すように、内蓋３４を外蓋３２に強く締め込んでも、オーリング８０が脱落することなく、このパッキン保持部６６と外蓋３２のパッキン当て面６２との間でオーリング８０が潰れて変形し、外蓋３２と内蓋３４との隙間を水密に閉じることができる。
【００３５】
また、前記パッキン当て面６２及びテーパー面７６は、外蓋本体４２の中心線ＣＬに対し３０°から６０°の交差角度、より好ましくは４０°から５０°の交差角度になるように設定することが好ましい。これにより、雌ねじ部３８及び雄ねじ部６０による螺合で内蓋３４が外蓋３２に締め込まれる際に、パッキン当て面６２とパッキン保持部６６との間で確実にオーリング８０が変形し、しっかりと水密状態を維持することができる。
【００３６】
図６及び図７に示すように、内蓋３４の雄ねじ部６０とパッキン保持部６６との間の外周面７４ａには、流出口６８が周方向に並べて形成されている。流出口６８は外周面７４ａと内周面７４ｂとの間で内蓋本体７４を貫通する矩形の貫通孔から形成されている。流出口６８はパッキン保持部６６のオーリング８０に近接した位置または隣接した位置で形成されている。これにより、内蓋３４の回転による外蓋３２に対する僅かな上方変位でも容器本体１２内の液体を確実に流出させることができる。したがって、僅かな回転量で内蓋３４を確実に開状態にすることができる。また、開状態から内蓋３４を逆に回転して外蓋３２に締め込むことで、確実に内蓋３４を閉位置にセットすることができる。図６に示すように、底板部７０は、この流出口６８を塞ぐことがないように、内蓋本体７４の近くではテーパー面７０ａとされており、飲用液体が流出口６８に円滑に流れるようになっている。
【００３７】
なお、流出口６８は周方向に長い矩形状に形成したが、この形状に限定されるものではなく、丸や三角、楕円やその他の各種形状としてもよい。但し、流出口６８を周方向に長い矩形状にすることで、一定の流出量を確保しつつ内蓋３４を高さ方向にコンパクトにまとめることができる。
【００３８】
図３、図６及び図７に示すように、摘み部７２は、底板部７０の上面７０ｂから上方に向けて且つ前記内蓋本体７４の上部内周面７４ｃから内側に向けて突出して形成されている。なお、摘み部７２は内蓋３４を指で摘んで回転させることができる形状であればよく、図示のものに限定されない。また、摘み部７２の形成位置は、底板部７０の上面７０ｂから上方に突出して形成したり、内蓋本体７４の上部内周面７４ｃから内側に向けて突出して形成したりすることができる。
【００３９】
前記摘み部７２は内蓋本体７４の直径方向に延設されて上部内周面７４ｃ間で架け渡されており、直径方向の中央部が低くされた凹み部７２ａを備えている。そして、図２に示すように、前記内蓋本体７４が前記外蓋本体４２に取り付けられた状態で締められて、前記オーリング８０により水密に外蓋３２と結合しているときに、前記飲み口部５４を通り外蓋本体中心線ＣＬと直交する直線Ｌ１に対し、前記摘み部７２が平行になるように、前記摘み部７２と雄ねじ部６０、または摘み部７２と雌ねじ部３８とが位置規定されている。
【００４０】
図１に示すように、前記飲み口部５４を通り外蓋本体中心線ＣＬと直交する直線Ｌ１に対し、前記摘み部７２が上から見て直交する位置関係のときに、摘み部７２の直径方向の一端部と、この一端部が前記外縁部４０に位置する箇所とにそれぞれ開マーク８４，８５が形成されている。開マーク８４，８５は、円形の凹みから構成されているが、矢印や直線の形状をした溝や、その他の形状の識別可能なマークであればよい。この開マーク８４，８５同士が近接した状態（図１参照）が内蓋３４の開状態を示しており、液体が飲用可能な状態であることが一目で判るようになっている。したがって、携帯する際には、この摘み部７２の位置関係を把握することで、開位置の飲用可能状態か、閉位置の飲用不可・携帯可能状態かを知ることができる。したがって、携帯する際に誤って液体をこぼしてしまうことを未然に防ぐことができる。
【００４１】
図６及び図７に示すように、摘み部７２の両端部が位置する内蓋本体７４の周面には流出口６８が形成されていない。これは内蓋本体７４の強度を保つとともに、この位置に流出口６８を形成したとしても、上記したように、図８に示す飲み口部５４と摘み部７２の位置関係から飲みづらくなり液体を流出させる必要が無いからである。しかし、流出口６８はこの形態に限定されることなく、周方向に流出口６８の不連続部を設けることなく、全周にわたって形成してもよい。
【００４２】
図１に示すように、底板部７０の上面７０ｂには、内蓋３４の回転方向を示す矢印８６と、矢印８６が示す方向に内蓋３４を回転させたときの内蓋３４の状態変化を示す「ｃｌｏｓｅ」の文字８７とが上面７０ｂから突出させることで、その凹凸の段差によって形成されている。なお、図面のものとは反対向きにした矢印と、その矢印に近接して「ｏｐｅｎ」の文字とを突出形成して表記してもよく、また、これらの二つの矢印及び文字を表記したものであってもよい。
【００４３】
使用に際しては、図３に示すように、容器本体１２の雌ねじ部３０に外蓋３２の雄ねじ部４６を螺合させて時計方向に回転させることにより、図１に示すように、外蓋３２を容器本体１２に取り付ける。外蓋３２を締め込むと、図２に示すように、外蓋３２に外嵌させたオーリング８０が変形して、両者に水密に接触するため、容器本体１２に外蓋３２を水密に取り付けることができる。
【００４４】
容器本体１２内にコーヒーなどの飲用液体を収納した後に、外蓋３２の雌ねじ部４６に内蓋３４の雄ねじ部６０を螺合させて時計方向に回転させることにより、内蓋３４を外蓋３２に取り付ける。内蓋３４を締め込んでいくと、図２に示すように、パッキン当て面６２でオーリング８０が潰れて、それ以上の締め込みが不可能になる。この状態が閉じ状態であり、飲み口部５４を通り外蓋本体中心線ＣＬと直交する直線Ｌ１に上から見て摘み部７２が平行な状態になる。この状態では、摘み部７２が飲み口部５４に近接するため、飲もうとして飲み口部５４に口を当てると、上唇が摘み部７２に触れるため、閉じた状態であることを知ることができる。
【００４５】
内蓋３４を反時計方向に回すことにより、図８に示すように内蓋３４が外蓋３２内で上方に変位する。この変位によって内蓋３４のオーリング８０とパッキン当て面６２との間に隙間９０ができる。容器本体１２の液体は、容器本体１２を傾けることにより、流出口６８から外蓋３２の外縁部内周面内に流出し、飲み口部５４を介して、容器本体１２内の飲用液体を飲むことができる。飲用液体の流出量は内蓋３４の回転量を変化させることで、流出口６８の開き具合や、オーリング８０とパッキン当て面６２との隙間具合を調節することができ、各人に合った流出量を容易に設定することができる。
【００４６】
使用後は、図２に示すように蓋１０そのものを容器本体１２から取り外し、また、蓋１０も外蓋３２と内蓋３４との螺合を解くことで簡単に分離することができ、洗浄が容易であり、従来のようなスライド方式や揺動方式の中栓にありがちな洗浄がしずらいといった不都合もない。
【００４７】
なお、上記実施形態では、蓋１０の材質は合成樹脂製を例にとって説明したが、ステンレスやアルミニウムなどの金属製としてもよい。また、上記実施形態では、外蓋３２と内蓋３４とは同一中心線ＣＬ上に位置させて同心配置としたが、飲み口部５４側が広くなるように、外蓋３２に対し内蓋３４を偏心させてもよい。
【００４８】
上記実施形態では、前記摘み部７２は前記内蓋本体７４の直径方向に延設されて内周面間で架け渡されている突条から構成されており、前記突条の直径方向の中央部が低くされているが、これに限定されるものではない。特に、上記実施形態では、前記底板部７０は、前記内蓋本体７４の下部内周面７４ｂであって前記流出口６８の上方位置から下方に向かって延設されて前記内蓋本体７４の下部に位置しているので、摘み部７２を内蓋３４内で低い位置に形成することができ、通常の鼻の高さの人が使用する場合には、鼻先端が摘み部７２に当たることは少ないからである。したがって、任意形状の摘み部７２を形成することができる。例えば、中央部を凹ませることがないものや、逆に中央部を高くした山形状のもの、その他、動物の輪郭などをかたどった任意形状のものでもよい。また、摘み部７２自体も、内蓋３４の直径方向に長い突条の他に、指を掛けて内蓋３４を回転させることができるものであれば、その形状や数量は限定されない。例えば、一文字形の他に三叉状やクロス状、その他各種形状であってよい。
【００４９】
図２に示すように、前記内蓋３４が前記外蓋３２に取り付けられた状態で締められて、オーリング８０により両者が水密に結合しているときに、前記飲み口部５４を通り前記外蓋３２の中心線ＣＬと直交する直線Ｌ１に対し、前記摘み部７２が平行になるように、前記摘み部７２は前記内蓋３４に形成されているが、これに限定されない。これは、上述したように、上記実施形態では、前記底板部７０は、前記内蓋３４の下部内周面であって前記流出口６８（図６参照）の上方位置から下方に向かって延設されて前記内蓋３４の下部に位置しているので、摘み部７２を内蓋３４内で低い位置に形成することができ、通常の使用では、飲み口部５４に唇を当てたときに、上唇が内蓋３４の摘み部に当たることは少ないからである。同様の理由から、突条からなる摘み部が飲み口部を通り外蓋本体の中心線と直交する直線に対し直交する位置となるように、摘み部を内蓋本体に取り付けなくてもよい。
【００５０】
但し、内蓋３４が閉じられた状態で外蓋３２の飲み口部５４との高低差が低く、飲み口部５４に口を当てたときに、上唇が摘み部７２の上端部に触れるような位置関係の場合には、上記のような位置関係とすることにより、上唇が閉位置の内蓋３４の摘み部７２に触れることになる。これにより、内蓋３４が閉まった飲用不可状態で飲み口部５４に口を当てると、上唇が摘み部７２にふれるため、内蓋３４が閉状態であることを唇の感触から知ることができ、便利である。この場合には、さらに突条からなる摘み部７２が飲み口部５４を通り外蓋３２の中心線ＣＬと直交する直線Ｌ１に対し直交する位置となるように、摘み部７２を内蓋３４に形成し、且つ摘み部７２の中央を凹ませることにより、鼻の高い人が使用する場合に鼻先端が摘み部７２に当たらないようにすることができる。
【００５１】
図１に示すように、前記飲み口部５４を通り外蓋３２の中心線ＣＬに直交する直線Ｌ１に対し前記摘み部７２が上から見て直交する位置で、摘み部７２の直径方向の一端部と、この一端部が前記外縁部４０に位置する箇所とに開マーク８４，８５を有している。このように開マーク８４，８５同士を近接させると内蓋３４が開状態であることが一見して判るようになる。したがって、内蓋３４が開位置の状態で誤って持ち運んでしまうことが回避される。また、開マーク８４，８５が近接した位置では、摘み部７２が飲み口部５４から９０°離れた位置となるため、内蓋閉状態で上唇が当たるような外縁部４０と摘み部７２との位置関係にある蓋の場合には、摘み部７２に上唇が当たることがなく、容易に飲めるようになる。
【００５２】
また、開マーク８４，８５を設けることにより、この開マーク８４，８５をさらに超えて内蓋３４を回してしまうと、内蓋３４が外れる虞が出てくるが、この開マーク８４，８５の存在により、内蓋３４が外れてしまう位置関係を簡単に知ることができ便利である。なお、本実施形態では、外蓋３２の雌ねじ部４６と内蓋３４の雄ねじ部６０とは、２．５回転で外れるようなピッチとねじ長さとしている。そして、完全に内蓋３４が閉まった状態から約９０°回転させた状態で開マーク８４，８５が接近する位置としているが、これに限定されない。また、上記マーク８４，８５を内蓋脱落阻止マークとして利用する場合には、上記開マーク８５の他に、外縁部４０の上面に、例えば開マーク８５から開方向に約９０°回転した位置で、例えば×印のマーク（図示せず）を付してもよい。この場合には、内蓋３４の開マーク８４がこの×印の内蓋脱落阻止マークを超えた位置となると、内蓋３４が脱落する虞があることを使用者に知らせることができる。
【図１】
0003159974.tif 000003
【図２】
0003159974.tif 000004
【図３】
0003159974.tif 000005
【図４】
0003159974.tif 000006
【図５】
0003159974.tif 000007
【図６】
0003159974.tif 000008
【図７】
0003159974.tif 000009
【図８】
0003159974.tif 000010
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
飲用液体を収納する飲料用容器の開口に取り付けられる蓋であって、  筒状の外蓋本体、この外蓋本体に形成されており、前記飲料用容器の開口に取り付けられる取付部、前記外蓋本体の内周面の下部に形成されている雌ねじ部、及び前記外蓋本体の上部に上方に向かって延設される外縁部を有する外蓋と、  筒状の内蓋本体、この内蓋本体の外周面の下部に形成されており、前記外蓋本体の雌ねじ部に螺合する雄ねじ部、前記内蓋本体の外周面の上部に周方向に形成されているパッキン保持部、前記内蓋本体の外周面であって前記雄ねじ部と前記パッキン保持部との間で内蓋本体の内周面に貫通する流出口、前記内蓋本体を塞ぐように前記流出口の上方位置から延設されている底板部、及び前記底板部の上面から上方に向けてまたは前記内蓋本体の内周面から内側に向けて突出して形成される摘み部を有する内蓋と、  前記パッキン保持部に取り付けられ、前記内蓋本体の雄ねじ部が前記外蓋本体の雌ねじ部に螺合して閉じ状態になったときに、内蓋本体と前記外蓋本体との隙間を塞ぐパッキンとを備えることを特徴とする飲料用容器の蓋。
【請求項２】
前記流出口は、前記パッキン保持部に隣接または近接して設けられていることを特徴とする請求項１記載の飲料用容器の蓋。
【請求項３】
前記底板部は、前記内蓋本体の下部内周面であって前記流出口の上方位置から下方に向かって延設されて前記内蓋本体の下部に位置していることを特徴とする請求項１または２記載の飲料用容器の蓋。
【請求項４】
前記外蓋本体の内周面の上部に形成され、前記雌ねじ部に連続し次第に拡開するテーパー状内周面を前記外縁部は有することを特徴とする請求項１から３いずれか1項記載の飲料用容器の蓋。
【請求項５】
前記テーパー状内周面は、外蓋本体の中心線を通る外縁部の縦断面において内側に湾曲するような凹んだ形状に形成されていることを特徴とする請求項４記載の飲料用容器の蓋。
【請求項６】
前記パッキン保持部は、前記テーパー状内周面に平行なテーパー状外周面及びこのテーパー状外周面に周方向に形成されるパッキン保持溝を有することを特徴とする請求項４または５項記載の飲料用容器の蓋。
【請求項７】
前記外縁部は上方に一部が延設された飲み口部を有し、  前記摘み部は前記内蓋本体の直径方向に延設されて内周面間で架け渡されている突条から構成されており、前記突条の直径方向の中央部が低くされており、  前記内蓋本体が前記外蓋本体に取り付けられた状態で締められて、前記パッキンにより水密に結合しているときに、前記飲み口部を通り前記外蓋本体の中心線と直交する直線に対し、前記摘み部が平行になるように、前記摘み部は前記内蓋本体に形成されていることを特徴とする請求項１から６いずれか１項記載の飲料用容器の蓋。
【請求項８】
前記飲み口部を通り前記外蓋本体の中心線に直交する直線に対し前記摘み部が上から見て直交する位置で、摘み部の直径方向の一端部と、この一端部が前記外縁部に位置する箇所とに開マークを有することを特徴とする請求項７記載の飲料用容器の蓋。
【請求項９】
前記外蓋本体の中心線に対し前記飲み口部から１８０°回転した位置に携帯用ストラップが通る貫通孔を有することを特徴とする請求項７または８項記載の飲料用容器の蓋。
【請求項１０】
前記流出口は、前記内蓋本体に周方向に一定ピッチで形成された貫通孔であることを特徴とする請求項１から９いずれか１項記載の飲料用容器の蓋。
【請求項１１】
前記貫通孔は周方向に長い矩形状であり、前記摘み部を除いた周面に周方向に並べて設けられていることを特徴とする請求項１０記載の飲料用容器の蓋。
【請求項１２】
前記外蓋本体の取付部は、外蓋本体の外周面であって外蓋本体中心線方向の中央部に形成される段部、この段部を介して下方に連続し前記外周面と平行な外周面に形成される雄ねじ部、及び前記段部と前記雄ねじ部との角部に形成されているパッキン収納部を有し、前記段部の直径方向の長さは前記飲料用容器の開口厚みと同じであることを特徴とする請求項１から１１いずれか１項記載の飲料用容器の蓋。
【請求項１３】
前記飲料用容器はタンブラーであることを特徴とする請求項１から１２いずれか１項記載の飲料用容器の蓋。